(57)【要約】【課題】通路の通行を許可したことを利用者に通知する音を利用して、この通路における利用者の通行を円滑にさせる。【解決手段】自動改札機１は、改札通路２の通行を許可すると判定した利用者に対して、第１の再生音データであるメロディＭを時間軸方向に２つ以上の分割した音パーツＰを時間軸方向に順番にずらしながら割り当てる。また、自動改札機１は、スピーカ３０において、利用者に割り当てた音パーツＰに応じた音を放音させる。さらに、自動改札機１は、スピーカ３０において放音させる音パーツＰに応じた音のテンポを設定する。【選択図】図３
2020064384.tif 000002
【特許請求の範囲】
【請求項１】
利用者に対して、通路の通行を許可するかどうかを判定する判定部と、
複数の音が時系列に並んでいる第１の再生音データを記憶する再生音記憶部と、
時間軸方向に、前記第１の再生音データを２つ以上の音パーツに分割する分割部と、
前記判定部が前記通路の通行を許可すると判定した利用者に対して、前記分割部によって分割された前記音パーツを、時間軸方向に順番にずらしながら割り当てる割当部と、
スピーカにおいて、前記割当部が利用者に割り当てた前記音パーツに応じた音を放音させる放音部と、
前記放音部が前記スピーカにおいて放音させる前記音パーツに応じた音のテンポを設定するテンポ設定部と、を備えたゲート装置。
【請求項２】
前記テンポ設定部は、前記テンポを時間帯に応じて設定する、請求項１に記載のゲート装置。
【請求項３】
前記分割部が前記再生音データを分割する前記音パーツの音数を設定する音数設定部を備えた、請求項１、または２に記載のゲート装置。
【請求項４】
前記音数設定部は、前記音パーツの音数を時間帯に応じて設定する、請求項３に記載のゲート装置。
【請求項５】
前記割当部は、前記判定部が前記通路の通行を許可すると判定した利用者に対して割り当てる前記音パーツの個数を、時間帯に応じて設定する、請求項１、または２に記載のゲート装置。
【請求項６】
前記再生音記憶部は、前記第１の再生音データとは異なる第２の再生音データを記憶し、
前記割当部は、前記判定部が前記通路の通行を許可しないと判定した利用者に対して、前記第２の再生音データを割り当てる、請求項１〜５のいずれかに記載のゲート装置。
【請求項７】
前記割当部は、前回の利用者が前記判定部によって前記通路の通行を許可しないと判定され、今回の利用者が前記判定部によって前記通路の通行を許可すると判定された場合、今回の利用者に対して、時間軸方向において先頭に位置する前記音パーツを割り当てる、請求項１〜６のいずれかに記載のゲート装置。
【請求項８】
前記割当部は、前記判定部が前回の利用者に対して前記通路の通行を許可するかどうかを判定してから、前記判定部が今回の利用者に対して前記通路の通行を許可するかどうかを判定するまでの経過時間が、予め設定しているリセット時間に達していれば、今回の利用者が前記判定部によって前記通路の通行を許可すると判定された場合、今回の利用者に対して、時間軸方向において先頭に位置する前記音パーツを割り当てる、請求項１〜７のいずれかに記載のゲート装置。
【請求項９】
利用者に対して、通路の通行を許可するかどうかを判定する判定ステップと、
再生音記憶部に記憶されている、複数の音が時系列に並んだ第１の再生音データを時間軸方向に２つ以上の音パーツに分割する分割ステップと、
前記判定ステップで前記通路の通行を許可すると判定した利用者に対して、前記分割ステップで分割した前記音パーツを、時間軸方向に順番にずらしながら割り当てる割当ステップと、
スピーカにおいて、前記割当ステップで利用者に割り当てた前記音パーツに応じた音を放音させる放音ステップと、
前記放音ステップで前記スピーカにおいて放音させる前記音パーツに応じた音のテンポを設定するテンポ設定ステップと、を備えた音響効果方法。
【請求項１０】
利用者に対して、通路の通行を許可するかどうかを判定する判定ステップと、
再生音記憶部に記憶されている、複数の音が時系列に並んだ第１の再生音データを時間軸方向に２つ以上の音パーツに分割する分割ステップと、
前記判定ステップで前記通路の通行を許可すると判定した利用者に対して、前記分割ステップで分割した前記音パーツを、時間軸方向に順番にずらしながら割り当てる割当ステップと、
スピーカにおいて、前記割当ステップで利用者に割り当てた前記音パーツに応じた音を放音させる放音ステップと、
前記放音ステップで前記スピーカにおいて放音させる前記音パーツに応じた音のテンポを設定するテンポ設定ステップと、をコンピュータに実行させる音響効果プログラム。
【発明の詳細な説明】
【技術分野】
【０００１】
この発明は、利用者に対して、通路の通行を許可するかどうかを判定した判定結果を通知する音を放音させる技術に関する。
【背景技術】
【０００２】
従来、鉄道の駅では、改札口に設置した自動改札機で、駅構内に入場する利用者、および駅構内から出場する利用者に対して改札処理を行っている。自動改札機は、利用者が所持している乗車券（切符、定期券等）から読み取った乗車券情報を用いて、この利用者が改札通路を通行するのを許可するかどうかを判定する。自動改札機は、この判定結果を利用者に通知するために、判定結果に応じた音を放音する。また、特許文献１には、この判定結果に応じた音をメロディにした構成が記載されている。
【０００３】
なお、利用者に対して、通路の通行を許可するかどうかを判定するゲート装置には、上述した自動改札機の他にも、空港の搭乗口に設置された搭乗ゲート、テーマパークの入出場口に設置された入出場ゲート、セキュリティエリアへの入出場口に設置されたセキュリティゲート、高速道路のインターチェンジに設置されたＥＴＣ（Electronic Toll Collection）ゲート等がある。
【先行技術文献】
【特許文献】
【０００４】
【特許文献１】特許第５９３０８９８号公報
【発明の概要】
【発明が解決しようとする課題】
【０００５】
しかしながら、特許文献１は、通路の通行を許可したことを利用者に通知する音を利用して演出しているだけであり、通路における利用者の通行を円滑にさせるものではなかった。例えば、特許文献１は、利用者が多い時間帯に、通路の入口付近で利用者が停滞するのを緩和し、通路における利用者の通行を円滑にさせるものではなかった。
【０００６】
この発明の目的は、通路の通行を許可したことを利用者に通知する音を利用して、この通路における利用者の通行を円滑にさせる技術を提供することにある。
【課題を解決するための手段】
【０００７】
この発明のゲート装置は、上記目的を達成するため以下に示すように構成している。
【０００８】
判定部が、利用者に対して、通路の通行を許可するかどうかを判定する。再生音記憶部には、複数の音が時系列に並んでいる第１の再生音データが記憶されている。この第１の再生音データは、メロディ（楽曲データ）であってもよいし、広告メッセージ（音声データ）であってもよいし、これら以外であってもよい。また、広告メッセージは、メロディを背景音として使用しているものであってもよい。
【０００９】
分割部が、時間軸方向に、第１の再生音データを２つ以上の音パーツに分割する。判定部が通路の通行を許可すると判定した利用者に対して、割当部が分割部によって分割された音パーツを、時間軸方向に順番にずらしながら割り当てる。そして、放音部が、スピーカにおいて、割当部が利用者に割り当てた音パーツに応じた音を放音させる。したがって、判定部によって、通路の通行が許可された利用者が連続することによって、第１の再生音データであるメロディ、広告メッセージ等の再生音がスピーカから放音される。
【００１０】
また、テンポ設定部が、放音部がスピーカにおいて放音させる音パーツに応じた音のテンポを設定する。すなわち、テンポ設定部は、放音部がスピーカにおいて放音させる第１の再生音データであるメロディ、広告メッセージ等の再生音の再生速度を設定する。多くの場合、人は、聞こえている音のテンポに応じて、歩く速度が変化する。具体的には、人は、聞こえている音のテンポが速くなるにつれて、歩く速度が速くなる傾向にある。したがって、テンポ設定部が、利用者が多い時間帯に、放音部がスピーカにおいて放音させる再生音のテンポ（再生速度）を速く設定することによって、通路における利用者の通行速度が速くなる。すなわち、利用者が多い時間帯に、放音部がスピーカにおいて放音させる音のテンポを速くすることにより、通路の入口付近で利用者が停滞するのを緩和でき、通路における利用者の通行を円滑にさせられる。
【００１１】
また、テンポ設定部は、例えば、テンポを時間帯に応じて設定する構成にすればよい。各時間帯のテンポは、例えば、利用者の人数を時間帯別に観測した観測結果を用いて予め決めておけばよい。
【００１２】
また、分割部が再生音データを分割する音パーツの音数を設定する音数設定部を備える構成にしてもよい。このように構成すれば、第１の再生音データを分割した音パーツの総数を設定することができる。すなわち、第１の再生音データにかかる再生音が、先頭から最後まで再生されるのに必要な利用者の人数を設定することができる。
【００１３】
この場合、音数設定部は、例えば、音パーツの音数を時間帯に応じて設定する構成にすればよい。具体的には、利用者が少ない時間帯ほど、音パーツの音数を多くするのが好ましい。このようにすれば、利用者が少ない時間帯に、第１の再生音データにかかる再生音が、先頭から最後まで再生されないという事態が発生するのを抑制できる。なお、各時間帯の音パーツの音数は、例えば、利用者の人数を時間帯別に観測した観測結果を用いて予め決めておけばよい。
【００１４】
また、割当部を、判定部が通路の通行を許可すると判定した利用者に対して割り当てる音パーツの個数を、時間帯に応じて設定する構成にしてもよい。このように構成した場合も、上記した音数設定部を設けた場合と同様に、第１の再生音データにかかる再生音が、先頭から最後まで再生されるのに必要な利用者の人数を設定することができる。
【００１５】
また、再生音記憶部が、第１の再生音データとは異なる第２の再生音データを記憶し、割当部が、判定部が通路の通行を許可しないと判定した利用者に対して、第２の再生音データを割り当てる、構成にしてもよい。
【００１６】
このように構成すれば、第１の再生音データにかかる再生音が先頭から最後まで再生されるのを、中断させたくないという意識を利用者に抱かせることができる。このため、利用者は、自分が通路を通行することが許可されない状態であるかどうかを事前に確認するようになる。したがって、通路を通行することが許可されなかった利用者の発生にともない、通路における利用者の通行が停滞するのを抑制できる。
【００１７】
また、割当部は、前回の利用者が前記判定部によって通路の通行を許可しないと判定された場合、または、判定部が前回の利用者に対して通路の通行を許可するかどうかを判定してから、判定部が今回の利用者に対して通路の通行を許可するかどうかを判定するまでの経過時間が、予め設定しているリセット時間に達している場合に、今回の利用者が判定部によって通路の通行を許可すると判定されると、今回の利用者に対して、時間軸方向において先頭に位置する音パーツを割り当てるようにすればよい。
【発明の効果】
【００１８】
この発明によれば、通路の通行を許可したことを利用者に通知する音を利用して、この通路における利用者の通行を円滑にさせることができる。
【図面の簡単な説明】
【００１９】
【図１】図１（Ａ）は、改札通路入口側から見た自動改札機の平面図であり、図１（Ｂ）は、改札通路の上方からみた自動改札機の平面図である。
【図２】図２（Ａ）、（Ｂ）、（Ｃ）は、メロディＭを設定されている音数で分割する例を説明する図である。
【図３】この例にかかる自動改札機の主要部の構成を示すブロック図である。
【図４】テンポ設定テーブルの例を示す図である。
【図５】この例にかかる自動改札機の改札処理を示すフローチャートである。
【図６】この例にかかる自動改札機の割当処理を示すフローチャートである。
【図７】この例にかかる自動改札機の放音処理を示すフローチャートである。
【図８】別の例にかかる自動改札機の主要部の構成を示すブロック図である。
【図９】音数設定テーブルの例を示す図である。
【図１０】さらに、別の例にかかる自動改札機の主要部の構成を示すブロック図である。
【図１１】音パーツ数設定テーブルの例を示す図である。
【図１２】別の例にかかる自動改札機の割当処理を示すフローチャートである。
【発明を実施するための形態】
【００２０】
以下、この発明のゲート装置にかかる実施形態の１例である自動改札機について説明する。
【００２１】
＜１．適用例＞
図１は、この例にかかる自動改札機の概略を説明する図である。図１（Ａ）は、改札通路入口側から見た自動改札機の平面図であり、図１（Ｂ）は、改札通路の上方からみた自動改札機の平面図である。この例にかかる自動改札機１は、駅の改札口に設置され、利用者に対する改札処理を実行する。自動改札機１は、周知のように、２つのユニットを対向させて配置し、これらのユニット間に改札通路２を形成している。改札通路２が、この発明で言う通路に相当する。
【００２２】
この例では、説明を簡単にするため、改札通路２における利用者の通行方向が１方向（利用者が駅構内に入場する方向、または利用者が駅構内から出場する方向の一方の方向）である自動改札機１を例にして説明する。この例では、図１（Ａ）において、改札通路２における利用者の通行方向は、紙面の表面から裏面に向かう方向である。図１（Ｂ）において、改札通路２における利用者の通行方向は、図中に矢視する方向（紙面の下側から上側に向かう方向）である。
【００２３】
自動改札機１は、改札通路２の入口で、利用者が所持している乗車券に記録されている乗車券情報を読み取る。自動改札機１は、読み取った乗車券情報を用いて、改札通路２における利用者の通行を許可するかどうかを判定する。自動改札機１は、改札通路における利用者の通行を許可するかどうかを、各種の判定項目（乗車券の有効・無効、サイクルエラーであるかどうか、運賃不足であるかどうか等）について判定した結果に基づいて、総合的に判定する。改札通路２における利用者の通行を許可するかどうかの判定処理については、公知であるので、ここでは説明を省略する。
【００２４】
この例の自動改札機１は、利用者に対して、改札通路２の通行を許可したことを通知する音に用いる第１の音源データと、改札通路２の通行を許可しなかったことを通知する音に用いる第２の音源データと、を記憶している。第１の音源データが、この発明で言う第１の再生音データに相当し、第２の音源データが、この発明で言う第２の再生音データに相当する。
【００２５】
この例では、第１の音源データの再生音は、メロディ（楽曲）である。第２の音源データの再生音は、警告音（アラーム音）である。自動改札機１は、第１の音源データにかかるメロディＭを、設定されている分割音数で分割する。例えば、設定されている分割音数が１音である場合、図２（Ａ）に示すように、メロディＭを１音ずつに分割した音パーツＰ（Ｐ１〜Ｐｍ）に分割する。また、設定されている分割音数が２音である場合、図２（Ｂ）に示すように、メロディＭを２音ずつに分割した音パーツＰ（Ｐ１〜Ｐｍ）に分割する。また、設定されている分割音数が３音である場合、図２（Ｃ）に示すように、メロディＭを３音ずつに分割した音パーツＰ（Ｐ１〜Ｐｍ）に分割する。ただし、ｍは２以上の整数である。
【００２６】
なお、図２（Ａ）、（Ｂ）、（Ｃ）では、メロディＭの分割数をｍで表しているが、図２（Ａ）、（Ｂ）、（Ｃ）において示すｍは、異なる値である。ｍは、メロディＭの総音数、および分割音数によって決まる値である。
【００２７】
自動改札機１は、改札通路２の通行を許可すると判定した利用者に対して、音パーツＰ１〜Ｐｍを、時間軸方向に順番にずらしながら割り当てる。例えば、自動改札機１は、図１（Ｂ）に示す利用者Ｕ１、Ｕ２、Ｕ３、Ｕ４に対して、この順番に改札通路２の通行を許可すると判定した場合、利用者Ｕ１に音パーツＰｎを割り当て、利用者Ｕ２に音パーツＰｎ＋１を割り当て、利用者Ｕ３に音パーツＰｎ＋２を割り当て、利用者Ｕ４に音パーツＰｎ＋３を割り当てる。ただし、ｎは１以上の整数。
【００２８】
また、自動改札機１は、改札通路２の通行を許可しないと判定した利用者に対して、第２の音源データを割り当てる。
【００２９】
自動改札機１は、利用者に割り当てた音パーツＰにかかる再生音、または第２の音源データにかかる警告音を、利用者に割り当てた順番に放音する。したがって、利用者は、放音された音によって、改札通路２の通行が許可されたのか、許可されなかったのかを、確認できる。
【００３０】
また、上述したように、自動改札機１は、改札通路２の通行を許可すると判定した利用者に対して、音パーツＰ１〜Ｐｍを、時間軸方向に順番にずらしながら割り当てている。したがって、自動改札機１において、改札通路２の通行を許可すると判定された利用者が連続すると、メロディＭが放音される。
【００３１】
さらに、自動改札機１は、放音するメロディＭのテンポを設定する。この例では、自動改札機１は、利用者が多い時間帯ほど、放音するメロディＭのテンポを速くする。多くの場合、人は、聞こえているメロディＭのテンポに応じて、歩く速度が変化する。具体的には、人は、聞こえているメロディＭのテンポが速くなるにつれて、歩く速度が速くなる傾向にある。すなわち、自動改札機１は、利用者が多い時間帯ほど、放音するメロディＭのテンポを速くすることによって、改札通路２における利用者の歩く速度を速くする。改札通路２における利用者の歩く速度が速くなることによって、自動改札機１における改札処理のスループットが向上する。これにより、利用者が多い時間帯に、改札通路２の入口付近で利用者が停滞するのを緩和でき、改札通路２における利用者の通行を円滑にさせられる。
【００３２】
＜２．構成例＞
図３は、この例にかかる自動改札機の主要部の構成を示すブロック図である。自動改札機１は、制御ユニット１０と、音源データ記憶部２０と、乗車券情報読取部２１と、利用者検知部２２と、放音部２３と、表示部２４と、扉開閉部２５と、通信部２６と、を備えている。
【００３３】
制御ユニット１０は、自動改札機１本体各部の動作を制御する。また、制御ユニット１０は、判定部１１、分割部１２、割当部１３、およびテンポ設定部１４を有している。判定部１１、分割部１２、割当部１３、およびテンポ設定部１４の詳細については、後述する。
【００３４】
音源データ記憶部２０は、上述した第１の音源データ、および第２の音源データを記憶する。第１の音源データの再生音は、メロディ（楽曲）である。第２の音源データの再生音は、警告音（アラーム音）である。音源データ記憶部２０が、この発明で言う再生音記憶部に相当する。
【００３５】
乗車券情報読取部２１は、利用者が所持している乗車券に記録されている乗車券情報を読み取る。乗車券には、磁気券、非接触ＩＣ券、光学読取券等がある。磁気券は、公知のように、乗車券情報を磁気データで記録した乗車券である。非接触ＩＣ券は、近距離無線通信機能を有し、乗車券情報をＩＣメモリに記録した乗車券である。光学読取券は、券面に乗車券情報を示す２次元バーコード等の光学読取コードを印刷した乗車券である。乗車券情報読取部２１は、少なくとも１つ以上の種類の乗車券について、その種類の乗車券から乗車券情報を読み取ることができる構成であればよい。また、乗車券情報読取部２１は、スマートフォン等の携帯端末を乗車券（非接触ＩＣ券、光学読取券）として使用できる態様であってもよい。
【００３６】
利用者検知部２２は、改札通路２内における利用者の位置を、設定されている検知周期（数十ｍｓｅｃ〜百数十ｍｓｅｃ）で繰り返し検知する。利用者検知部２２は、利用者位置の検知結果に基づき、改札通路２における利用者の移動を追跡する。
【００３７】
放音部２３は、接続されているスピーカ３０において、利用者に割り当てた音パーツＰにかかる音、または警告音にかかる音を放音させる。利用者に対して、音パーツＰにかかる音、または警告音にかかる音を割り当てる処理は、制御ユニット１０が行う。
【００３８】
表示部２４は、改札通路２に進入した利用者に対する案内メッセージ等を表示器（不図示）に表示する。
【００３９】
扉開閉部２５は、改札通路２の出口側に設けられた扉（不図示）を開閉する。具体的には、扉開閉部２５は、改札通路２の通行を許可すると判定された利用者に対して扉を開し、反対に改札通路の通行を許可しないと判定された利用者に対して扉を閉する。
【００４０】
通信部２６は、同じ駅に設置されている他の自動改札機１、券売機、精算機、係員端末等の駅務機器、および駅サーバ等の上位機器との間でデータ通信を行う。
【００４１】
次に、制御ユニット１０が備える判定部１１、分割部１２、割当部１３、およびテンポ設定部１４について説明する。
【００４２】
判定部１１は、乗車券情報読取部２１が利用者が所持している乗車券から読み取った乗車券情報を用いて、当該利用者に対して、改札通路の通行を許可するかどうかを判定する。乗車券情報を用いて、改札通路２における利用者の通行を許可するかどうかを判定する処理は、公知であるので、ここでは説明を省略する。
【００４３】
分割部１２は、図２に示したように、メロディＭを設定されている音数の音パーツＰに分割する。
【００４４】
割当部１３は、利用者毎に、その利用者に対する判定部１１の判定結果に応じて、メロディＭの音パーツＰ、または警告音を割り当てる。
【００４５】
テンポ設定部１４は、その時点におけるメロディＭのテンポ（再生速度）を放音部２３に設定する。例えば、制御ユニット１０に設けられているメモリ（不図示）には、図４に示すテンポ設定テーブル１００が記憶されている。この図４に示すテンポ設定テーブル１００は、時間帯と、メロディＭのテンポとを対応付けて登録したものである。テンポ設定部１４は、このテンポ設定テーブル１００を参照し、その時点におけるメロディＭのテンポを取得し、放音部２３に設定する。図４に示す例は、値が大きいほど、メロディＭのテンポが速い。この例では、テンポ設定テーブル１００は、利用者が多い時間帯ほど、メロディＭのテンポが速くなる設定である。テンポ設定テーブル１００は、利用者の人数を時間帯別に観測し、その観測結果等を用いて作成すればよい。
【００４６】
なお、ここでは、自動改札機１がテンポ設定テーブル１００を記憶している例で説明するが、駅サーバ等の上位装置がテンポ設定テーブル１００を記憶し、適当なタイミングで、その時点におけるメロディＭのテンポを自動改札機１に通知する構成であってもよい。また、上位装置において、駅係員当が任意のタイミングでメロディＭのテンポを設定できる構成であってもよい。この場合、上位装置は、メロディＭのテンポが設定されたタイミングで、設定されたテンポを自動改札機１に通知すればよい。さらには、ほぼリアルタイムで利用者の人数を推定し、その推定結果に応じて、メロディＭのテンポを設定してもよい。例えば、改札通路２の入口付近を撮像した画像を処理し、利用者の人数を推定する構成であってもよい。
【００４７】
自動改札機１の制御ユニット１０は、ハードウェアＣＰＵ、メモリ、その他の電子回路によって構成されている。ハードウェアＣＰＵが、この発明にかかる音響効果プログラムを実行したときに、判定部１１、分割部１２、割当部１３、およびテンポ設定部１４として動作する。また、メモリは、この発明にかかる音響効果プログラムを展開する領域や、この音響効果プログラムの実行時に生じたデータ等を一時記憶する領域を有している。制御ユニット１０は、ハードウェアＣＰＵ、メモリ等を一体化したＬＳＩであってもよい。また、ハードウェアＣＰＵが、この発明にかかる音響効果方法を実行するコンピュータである。
【００４８】
＜３．動作例＞
次に、この例にかかる自動改札機１の動作について説明する。図５は、この例にかかる自動改札機の改札処理の動作を示すフローチャートである。この例にかかる自動改札機１は、この改札処理と、後述する放音処理とを並行して実行する。
【００４９】
自動改札機１は、乗車券情報読取部２１で乗車券に記録されている乗車券情報の読み取りが行われるのを待っている（ｓ１）。自動改札機１は、乗車券情報を読み取った乗車券を所持していた利用者について、改札通路２の通行を許可するかどうかを判定する（ｓ２）。ｓ２にかかる判定は、判定部１１において行われる。自動改札機１は、改札通路２の通行を許可すると判定すると、図６に示す、割当処理を実行する（ｓ３）。
【００５０】
図６を参照して、このｓ３にかかる割当処理を説明する。この割当処理は、割当部１３において実行される。割当部１３は、前回の利用者に対して改札通路２の通行を許可するかどうかを判定した時点から、今回の利用者に対して改札通路２の通行を許可するかどうかを判定した時点までの経過時間が、予め設定しているリセット時間に達しているかどうかを判定する（ｓ１１）。割当部１３は、ｓ１１でリセット時間に達していないと判定すると、前回の利用者に対して改札通路２の通行を許可したかどうかを判定する（ｓ１２）。リセット時間は、例えば、数秒（２秒〜５秒程度）である。
【００５１】
割当部１３は、前回の利用者に対して改札通路２の通行を許可していると、今回の利用者に対して、前回の利用者に割り当てたメロディＭの音パーツＰの次の音パーツを割り当てる（ｓ１３）。具体的には、前回の利用者に、音パーツｎを割り当てていると、今回の利用者に、音パーツｎ＋１を割り当てる。
【００５２】
また、割当部１３は、ｓ１１でリセット時間に達している、またはｓ１２で前回の利用者に対して改札通路２の通行を許可していない、と判定した場合、今回の利用者に対してメロディＭの先頭の音パーツＰ１を割り当てる（ｓ１４）。
【００５３】
割当部１３は、ｓ１３、またはｓ１４で今回の利用者に割り当てた音パーツＰの放音指示をＦＩＦＯ方式で使用するメモリ（不図示）に書き込み（ｓ１５）、本処理を終了する。
【００５４】
なお、ｓ１１と、ｓ１２にかかる処理は、その順番を逆に実行してもよい。
【００５５】
自動改札機１は、ｓ３にかかる割当処理が完了すると、扉開閉部２５が改札通路２の出口側に設けられている扉を開し（ｓ４）、ｓ１に戻る。
【００５６】
また、自動改札機１は、ｓ２で改札通路２の通行を許可しないと判定すると、今回の利用者に対して警告音を割り当て（ｓ６）、割り当てた警告音の放音指示をＦＩＦＯ方式で使用するメモリ（不図示）に書き込む（ｓ７）。自動改札機１は、今回改札通路２の通行を許可しないと判定した利用者よりも時間的に先に、改札通路２の通行を許可すると判定した利用者が改札通路２の出口側から出場するのを待って、扉開閉部２５が改札通路２の出口側に設けられている扉を閉する（ｓ８、ｓ９）。これにより、自動改札機１は、改札通路２の通行を許可すると判定した利用者が改札通路２の出口側から出場するのを許容し、且つ、改札通路２の通行を許可しないと判定した利用者が改札通路２の出口側から出場するのを制限する。自動改札機１は、改札通路２の通行を許可しないと判定した利用者が改札通路２の入口側から出場するのを待って（ｓ１０）、ｓ１に戻る。
【００５７】
このように、この例の自動改札機１では、利用者が所持する乗車券情報の読み取りがリセット時間未満で繰り返され、各利用者に対して連続して改札通路２の通行を許可すると判定した場合、ＦＩＦＯ方式で使用するメモリに、メロディＭの音パーツＰの放音指示が順番に書き込まれる。また、ある利用者について、改札通路２の通行を許可しないと判定した場合には、ＦＩＦＯ方式で使用するメモリに、警告音の放音指示が書き込まれる。
【００５８】
次に、この例の自動改札機１における放音処理について説明する。図７は、自動改札機の放音処理を示すフローチャートである。この放音処理は、制御ユニット１０からの指示にしたがって、放音部２３が行う。放音部２３には、テンポ設定部１４によってメロディＭのテンポが設定されている。テンポ設定部１４は、上述したように、利用者が多い時間帯ほど、放音部２３に対してメロディＭのテンポを速く設定する。
【００５９】
放音部２３は、ＦＩＦＯ方式で使用するメモリに、放音指示があるかどうかを判断し、放音指示があれば、時間的に最も先に書き込まれた放音指示を読み出し、この放音指示に応じた音をスピーカ３０において放音させる（ｓ２１、ｓ２２）。放音部２３は、ｓ２１、およびｓ２２の処理を繰り返し実行する。したがって、ＦＩＦＯ方式で使用するメモリに、メロディＭの音パーツＰの放音指示が順番に書き込まれると、スピーカ３０からメロディＭが放音される。また、自動改札機１は、利用者が多い時間帯ほど、スピーカ３０から放音するメロディＭのテンポを速くする。多くの場合、人は、聞こえているメロディＭのテンポに応じて、歩く速度が変化する。具体的には、人は、聞こえているメロディＭのテンポが速くなるにつれて、歩く速度が速くなる傾向にある。このため、自動改札機１は、放音するメロディＭのテンポを速くすることによって、自動改札機１における改札処理のスループットを向上できる。そして、この例の自動改札機１は、利用者が多い時間帯ほど、スピーカ３０から放音するメロディＭのテンポを速くするので、改札通路２の入口付近で利用者が停滞するのを緩和でき、改札通路２における利用者の通行を円滑にできる。
【００６０】
また、この例の自動改札機１は、利用者に対して改札通路２の通行を許可しないと判定すると、スピーカ３０から放音させていたメロディＭが途切れ、警告音が放音される。すなわち、利用者は、改札通路２の通行を許可しないと判定されることによって、自分よりも先に改札通路２に進入した他の利用者によって継続されていた、スピーカ３０におけるメロディＭの放音を途切れさせることになる。このため、多くの利用者は、不注意でスピーカ３０におけるメロディＭの放音を途切れさせないために、改札通路２に進入する前に、乗車券が適正であるかどうかを（改札通路２の通行が許可されるかどうかを）確認するようになる。したがって、改札通路２の通行を許可しないと判定される利用者の割合が減少するので、この点においても、自動改札機１における改札処理のスループットの向上が図れ、改札通路２における利用者の通行を円滑にできる。
【００６１】
また、この例の自動改札機１は、利用者が少ない時間帯については、メロディＭのテンポをゆっくりにするので（遅くするので）、改札通路２を通行する利用者を無駄に急がせることもない。
【００６２】
なお、改札通路２に進入した利用者は、スピーカ３０から放音されるメロディＭにかかる音、または警告音によって、自分に対して改札通路２の通行が許可されたかどうかを確認することができる。すなわち、自動改札機１は、利用者に対して、改札通路２の通行を許可したかどうかを、スピーカ３０から放音するメロディＭにかかる音、または警告音によって通知している。
【００６３】
また、上記の説明では、改札通路２における利用者の通行方向を一方向とした自動改札機１を例にして説明したが、改札通路２における利用者の通行方向は双方向であってもよい。この場合には、自動改札機１は、図５〜図７に示した処理を、利用者の通行方向毎に実行すればよい。
【００６４】
＜４．変形例＞
次に、この発明の別の例にかかる自動改札機１Ａについて説明する。図８は、この別の例にかかる自動改札機の主要部の構成を示す図である。図８では、図３に示した構成と同じ構成については、同じ符号を付している。図８に示すように、この別の例にかかる自動改札機１Ａは、制御ユニット１０に音数設定部１５を有している点で、上記の例と異なる。
【００６５】
この音数設定部１５は、メロディＭを分割する音パーツＰの音数を分割部１２に対して設定する。例えば、制御ユニット１０に設けられているメモリ（不図示）には、図９に示す音数設定テーブル１０１が記憶されている。この図９に示す音数設定テーブル１０１は、時間帯と、音パーツＰの音数とを対応付けて登録したものである。音数設定部１５は、この音数設定テーブル１０１を参照し、その時点においてメロディＭを分割する際の音パーツＰの音数を取得し、分割部１２に設定する。図９に示す例では、音数設定テーブル１０１は、利用者が多い時間帯ほど、音パーツＰの音数が少なくなる設定である。この音数設定テーブル１０１も、上述したテンポ設定テーブル１００と同様に、利用者の人数を時間帯別に観測した観測結果等を用いて作成すればよい。
【００６６】
なお、ここでは、自動改札機１Ａが音数設定テーブル１０１を記憶している例で説明するが、駅サーバ等の上位装置が音数設定テーブル１０１を記憶し、適当なタイミングで、その時点における音パーツＰの音数を自動改札機１Ａに通知する構成であってもよい。また、上位装置において、駅係員当が任意のタイミングで音パーツＰの音数を設定できる構成であってもよい。この場合、上位装置は、音パーツＰの音数が設定されたタイミングで、設定された音数を自動改札機１Ａに通知すればよい。さらには、ほぼリアルタイムで利用者の人数を推定し、その推定結果に応じて、音パーツＰの音数を設定してもよい。例えば、改札通路２の入口付近を撮像した画像を処理し、利用者の人数を推定する構成であってもよい。
【００６７】
分割部１２は、音数設定部１５によって音パーツＰの音数が設定されると、設定された音数の音パーツＰでメロディＭを分割する。
【００６８】
この別の例にかかる自動改札機１Ａも、上記の例と同様に、図５、図６、および図７に示した処理を実行する。したがって、この別の例にかかる自動改札機１Ａも、上記した例と同様の効果を奏する。
【００６９】
また、この別の例にかかる自動改札機１Ａは、音数設定部１５によって、利用者が少ない時間帯については、メロディＭを分割する音パーツＰの音数を多くする。すなわち、利用者が少ない時間帯については、メロディＭの分割数（メロディＭを分割した音パーツＰの個数）が少なくなる。したがって、利用者が少ない時間帯であっても、メロディＭが先頭から最後まで、スピーカ３０から放音されやすくなる。
【００７０】
さらに、この発明の別の例にかかる自動改札機１Ｂについて説明する。図１０は、この別の例にかかる自動改札機の主要部の構成を示す図である。図１０では、図３に示した構成と同じ構成については、同じ符号を付している。図１０に示すように、この別の例にかかる自動改札機１Ｂは、制御ユニット１０に音パーツ数設定部１６を有している点で、上記の例と異なる。
【００７１】
なお、この例にかかる自動改札機１Ｂは、図３に示した例の自動改札機１と同様に、上記した音数設定部１５にかかる構成を備えていない。
【００７２】
この音パーツ数設定部１６は、判定部１１において改札通路２の通行を許可すると判定された利用者に対して割り当てる音パーツＰの個数を割当部１３に対して設定する。例えば、制御ユニット１０に設けられているメモリ（不図示）には、図１１に示す音パーツ数設定テーブル１０２が記憶されている。この図１１に示す音パーツ数設定テーブル１０２は、時間帯と、音パーツＰの個数とを対応付けて登録したものである。音パーツ数設定部１６は、この音パーツ数設定テーブル１０２を参照し、その時点において、改札通路２の通行を許可すると判定された利用者に対して割り当てる音パーツＰの個数を取得し、割当部１３に設定する。図１１に示す例では、音パーツ数設定テーブル１０２は、利用者が多い時間帯ほど、改札通路２の通行を許可すると判定された利用者に対して割り当てる音パーツＰの個数が少なくなる設定である。この音パーツ数設定テーブル１０２も、上述したテンポ設定テーブル１００、または音数設定テーブル１０１と同様に、利用者の人数を時間帯別に観測した観測結果等を用いて作成すればよい。
【００７３】
なお、ここでは、自動改札機１Ｂが音パーツ数設定テーブル１０２を記憶している例で説明するが、駅サーバ等の上位装置が音パーツ数設定テーブル１０２を記憶し、適当なタイミングで、その時点における音パーツＰの個数を自動改札機１Ｂに通知する構成であってもよい。また、上位装置において、駅係員当が任意のタイミングで音パーツＰの個数を設定できる構成であってもよい。この場合、上位装置は、音パーツＰの個数が設定されたタイミングで、設定された音パーツＰの個数を自動改札機１Ｂに通知すればよい。さらには、ほぼリアルタイムで利用者の人数を推定し、その推定結果に応じて、音パーツＰの個数を設定してもよい。例えば、改札通路２の入口付近を撮像した画像を処理し、利用者の人数を推定する構成であってもよい。
【００７４】
この例にかかる自動改札機１Ｂは、上述した図５、および図７に示した処理を実行する。しかしながら、この例にかかる自動改札機１Ｂは、図６に示した割当処理ではなく、図１２に示す割当処理を実行する。
【００７５】
なお、図１２では、図６に示した処理と同じ処理については、同じステップ番号（ｓ＊＊）を付している。
【００７６】
この例にかかる自動改札機１Ｂは、上述したｓ１３にかかる処理にかえて、以下に示すｓ１８にかかる処理を行うとともに、上述したｓ１４にかかる処理にかえて、以下に示すｓ１９にかかる処理を行う。
【００７７】
この例にかかる自動改札機１Ｂの割当部１３は、上記したｓ１１でリセット時間に達していないと判定し、且つ上記したｓ１２で前回の利用者に対して改札通路２の通行を許可していると判定すると、今回改札通路２の通行を許可すると判定した利用者に対して、その時点において設定されている個数の音パーツＰを割り当てる（ｓ１８）。リセット時間は、上記した例の自動改札機１、１Ａと同様に設定される。
【００７８】
ｓ１８では、割当部１３は、今回改札通路２の通行を許可すると判定した利用者に対して割り当てる音パーツＰの個数が複数である場合、時間的に連続している複数の音パーツＰを当該利用者に割り当てる。例えば、改札通路２の通行を許可すると判定した利用者に対して割り当てる音パーツＰの個数が２個である場合、音パーツＰｎと音パーツＰｎ＋１とを当該利用者に割り当てる。また、改札通路２の通行を許可すると判定した利用者に対して割り当てる音パーツＰの個数が３個である場合、音パーツＰｎと音パーツＰｎ＋１と音パーツＰｎ＋２とを当該利用者に割り当てる。
【００７９】
また、割当部１３が今回改札通路２の通行を許可すると判定した利用者に対して割り当てた音パーツＰの中で時間的に最も早い音パーツＰは、割当部１３が前回改札通路２の通行を許可すると判定した利用者に対して割り当てた音パーツＰの中で時間的に最も遅い音パーツＰに時間的に連続する音パーツＰである。例えば、改札通路２の通行を許可すると判定した利用者に対して割り当てる音パーツＰの個数が２個である場合、割当部１３は、前回改札通路２の通行を許可すると判定した利用者に対して音パーツＰｎ−２、および音パーツＰｎ−１を割り当てていると、今回改札通路２の通行を許可すると判定した利用者に対して音パーツＰｎ、および音パーツＰｎ＋１を割り当てる。また、改札通路２の通行を許可すると判定した利用者に対して割り当てる音パーツＰの個数が３個である場合、割当部１３は、前回改札通路２の通行を許可すると判定した利用者に対して音パーツＰｎ−２、音パーツＰｎ−１、および音パーツＰｎを割り当てていると、今回改札通路２の通行を許可すると判定した利用者に対して音パーツＰｎ＋１、音パーツＰｎ＋２、および音パーツＰｎ＋３を割り当てる。
【００８０】
また、割当部１３は、ｓ１１でリセット時間に達している、またはｓ１２で前回の利用者に対して改札通路２の通行を許可していない、と判定した場合、今回の利用者に対してその時点において設定されている個数の音パーツＰを割り当てる（ｓ１９）。
【００８１】
ｓ１９でもｓ１８と同様に、割当部１３は、今回改札通路２の通行を許可すると判定した利用者に対して割り当てる音パーツＰの個数が複数である場合、時間的に連続している複数の音パーツＰを当該利用者に割り当てる。また、割当部１３が今回改札通路２の通行を許可すると判定した利用者に対して割り当てる音パーツＰの中で時間的に最も早い音パーツＰは、メロディＭの先頭の音パーツＰ１である。例えば、改札通路２の通行を許可すると判定した利用者に対して割り当てる音パーツＰの個数が２個である場合、音パーツＰ１と音パーツＰ２とを当該利用者に割り当てる。また、改札通路２の通行を許可すると判定した利用者に対して割り当てる音パーツＰの個数が３個である場合、音パーツＰ１と音パーツＰ２と音パーツＰ３とを当該利用者に割り当てる。
【００８２】
割当部１３は、ｓ１８、またはｓ１９で今回の利用者に割り当てた音パーツＰの放音指示をＦＩＦＯ方式で使用するメモリ（不図示）に書き込み（ｓ２０）、本処理を終了する。ＦＩＦＯ方式で使用するメモリには、ｓ１８、またはｓ１９で今回の利用者に割り当てた音パーツＰの放音指示が時系列に並べて書き込まれる。
【００８３】
なお、この例にかかる自動改札機１Ｂにおいても、ｓ１１と、ｓ１２にかかる処理は、その順番を逆に実行してもよい。
【００８４】
したがって、この別の例にかかる自動改札機１Ｂも、上記した例の自動改札機１と同様の効果を奏する。
【００８５】
また、この別の例にかかる自動改札機１Ｂは、音パーツ数設定部１６によって、利用者が少ない時間帯については、改札通路２の通行を許可すると判定した利用者に対して割り当てる音パーツＰの個数を多くする。したがって、この別の例にかかる自動改札機１Ｂは、上記した自動改札機１Ａと同様に、利用者が少ない時間帯であっても、メロディＭが先頭から最後まで、スピーカ３０から放音されやすくなる。
【００８６】
また、上記の例では、利用者に割り当てた音を、割り当てた順番にスピーカ３０から放音させる構成を、ＦＩＦＯ方式のメモリを使用する構成を例にして説明したが、この構成に限らず、他のどのような構成で実現してもよい。例えば、改札通路２の通行を連続して許可した利用者の人数をカウントするカウンタを利用し、このカウンタの値に応じてスピーカ３０から音パーツＰに応じた音を放音させる構成であってもよい。この場合、改札通路２の通行を許可しないと判定したときに、カウンタをリセットするとともに、スピーカ３０から警告音を放音させればよい。また、上述したリセット時間に達したときも、カウンタをリセットすればよい。
【００８７】
また、この発明は、上記の説明で例示した自動改札機１、１Ａ、１Ｂに限らず、空港の搭乗口に設置された搭乗ゲート、テーマパークの入出場口に設置された入出場ゲート、セキュリティエリアへの入出場口に設置されたセキュリティゲート、高速道路のインターチェンジに設置されたＥＴＣ（Electronic Toll Collection）ゲート等のゲート装置にも適用できる。
【００８８】
また、通路における利用者の通行を許可するかどうかの判定に用いる情報は、上述したチケット、カード、携帯端末等の媒体によって提示される情報に限らず、指紋、掌紋、虹彩、顔等の生体情報であってもよい。
【００８９】
また、第１の音源データは、メロディＭに限らず、広告メッセージ（音声データ）であってもよいし、これら以外であってもよい。また、広告メッセージは、メロディを背景音として使用しているものであってもよい。
【００９０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００９１】
さらに、この発明に係る構成と上述した実施形態に係る構成との対応関係は、以下の付記のように記載できる。  
＜付記＞  
利用者に対して、通路（２）の通行を許可するかどうかを判定する判定部（１１）と、
複数の音が時系列に並んでいる第１の再生音データ（Ｍ）を記憶する再生音記憶部（１６）と、
時間軸方向に、前記第１の再生音データ（Ｍ）を２つ以上の音パーツ（Ｐ）に分割する分割部（１２）と、
前記判定部（１１）が前記通路（２）の通行を許可すると判定した利用者に対して、前記分割部（１２）によって分割された前記音パーツ（Ｐ）を、時間軸方向に順番にずらしながら割り当てる割当部（１３）と、
スピーカ（３０）において、前記割当部（１３）が利用者に割り当てた前記音パーツ（Ｐ）に応じた音を放音させる放音部（２３）と、
前記放音部（２３）が前記スピーカ（３０）において放音させる前記音パーツ（Ｐ）に応じた音のテンポを設定するテンポ設定部（１４）と、を備えたゲート装置（１）。
【符号の説明】
【００９２】
Ｍ…メロディ
Ｐ（Ｐ１〜Ｐｎ）…音パーツ
１、１Ａ、１Ｂ…自動改札機
２…改札通路
１０…制御ユニット
１１…判定部
１２…分割部
１３…割当部
１４…テンポ設定部
１５…音数設定部
１６…音パーツ数設定部
２０…音源データ記憶部
２１…乗車券情報読取部
２２…利用者検知部
２３…放音部
２４…表示部
２５…扉開閉部
２６…通信部
３０…スピーカ
１００…テンポ設定テーブル
１０１…音数設定テーブル
１０２…音パーツ数設定テーブル
【図１】
2020064384.tif 000003
【図２】
2020064384.tif 000004
【図３】
2020064384.tif 000005
【図４】
2020064384.tif 000006
【図５】
2020064384.tif 000007
【図６】
2020064384.tif 000008
【図７】
2020064384.tif 000009
【図８】
2020064384.tif 000010
【図９】
2020064384.tif 000011
【図１０】
2020064384.tif 000012
【図１１】
2020064384.tif 000013
【図１２】
2020064384.tif 000014